(57)【特許請求の範囲】
【請求項１】
環境に関する測定項目を測定し、測定データを生成する環境測定装置と、
上記環境測定装置に接続され、上記測定データを一時的に記憶する携帯機器と、
上記携帯機器に接続され、上記携帯機器から送信される上記測定データを外部に転送する携帯通信端末とからなり、
前記環境測定装置は、環境に関する複数の測定項目を測定する複数のセンサを含むセンサ部と、上記センサ部からの各センサ出力を演算処理して測定データを生成、記憶するデータロガー部と、上記測定データを送信する通信インターフェースとを備え、
前記携帯機器は、前記環境測定装置から送信される前記測定データを受信する通信インターフェースと、全体動作を制御する制御手段と、受信した前記測定データを記憶する記憶手段と、記憶した前記測定データを前記携帯通信端末に送信する通信インターフェースと、測定項目を指定する測定情報を入力するキー入力部とを備え、
前記制御手段は、前記測定情報を伴う測定開始命令を前記通信インターフェースを介して前記環境測定装置へ送信する
ことを特徴とする環境測定システム。
【請求項２】
前記携帯通信端末は、携帯電話機またはＰＨＳ電話機である
ことを特徴とする請求項１記載の環境測定システム。
【発明の詳細な説明】
【０００１】
【発明の属する技術分野】
本発明は、ビル内の空気環境等を測定する環境測定システムに関する。
【０００２】
【従来の技術】
従来、ビル衛生管理法に基づく、ビル内の空気環境測定項目として浮遊粉塵、一酸化炭素、二酸化炭素、温度相対湿度及び気流等を測定する環境測定技術として、たとえば、各センサ部とＣＰＵ等を用いた処理部とキーボード及び表示部を備えた一体型の環境測定装置（特開昭６１−２８４６５９号公報参照）や、上述の処理部としてハンドヘルドコンピュータを用いた環境測定方法（特開昭６３−７９０１２号公報参照）がある。
【０００３】
【発明が解決しようとする課題】
ところで、ビル衛生管理法に基づく環境測定を実施する場合は、管理センター等から測定担当者が測定対象ビルへ移動して、ビル内の数個所の測定ポイントで測定し、朝から夕方までかけて測定を実施する。また、測定対象ビルが複数ある場合は、測定担当者は、ビルからビルへ移動しながら測定を実施し、数日間管理センターへ戻れない場合もある。
【０００４】
したがって、上述の従来技術はいずれも、測定データの記憶のために、フロッピーディスク（ＦＤ）やメモリーカードまたはハンドヘルドコンピュータ自体を記憶媒体として使用しているため、測定担当者が自ら、その記憶媒体を管理センターへ持ち帰る（１日で測定が終了する場合）かまたは郵送する（数日間戻れない場合）等の必要があった。
【０００５】
また、上述の従来技術の中には、プリンタを内蔵し、測定データを記載した印刷書類を作成することができるものもあるが、装置が大型、高重畳化し、ビル内の移動時に支障をきたすことがあった。
【０００６】
また、現場のビル等にてモデムに接続したパソコンがあれば、ＦＤを介してデータ送信することも可能であるが、客先での送信処理となり、パソコン等の装置を借りることは実際上不可能である。
【０００７】
上述の課題に鑑みて、本発明は、環境測定時の作業性の向上を図ることができる環境測定システムを提供することを目的とする。
【０００８】
【課題を解決するための手段】
上記した目的に鑑みて、請求項１記載の発明の環境測定システムは、環境に関する測定項目を測定し、測定データを生成する環境測定装置１と、上記環境測定装置１に接続され、上記測定データを一時的に記憶する携帯機器１１と、上記携帯機器１１に接続され、上記携帯機器１１から送信される上記測定データを外部に転送する携帯通信端末２１とからなり、前記環境測定装置１は、環境に関する複数の測定項目を測定する複数のセンサ２ａ，２ｂ，２ｃ，２ｄ，２ｅを含むセンサ部２と、上記センサ部２からの各センサ出力を演算処理して測定データを生成、記憶するデータロガー部３と、上記測定データを送信する通信インターフェース４とを備え、前記携帯機器１１は、前記環境測定装置１から送信される前記測定データを受信する通信インターフェース１２と、全体動作を制御する制御手段１３と、受信した前記測定データを記憶する記憶手段１４と、記憶した前記測定データを前記携帯通信端末２１に送信する通信インターフェース１５と、測定項目を指定する測定情報を入力するキー入力部１６とを備え、前記制御手段１３は、前記測定情報を伴う測定開始命令を前記通信インターフェース４を介して前記環境測定装置１へ送信することを特徴とする。
【０００９】
請求項１記載の発明によれば、環境測定装置１は、環境に関する測定項目を測定し、測定データを生成する。携帯機器１１は、環境測定装置１に接続され、測定データを一時的に記憶する。携帯通信端末２１は、携帯機器１１に接続され、携帯機器１１から送信される測定データを外部に転送する。環境測定装置１は、環境に関する複数の測定項目を測定する複数のセンサ２ａ，２ｂ，２ｃ，２ｄ，２ｅを含むセンサ部２と、センサ部２からの各センサ出力を演算処理して測定データを生成、記憶するデータロガー部３と、測定データを送信する通信インターフェース４とを備えている。携帯機器１１は、環境測定装置１から送信される測定データを受信する通信インターフェース１２と、全体動作を制御する制御手段１３と、受信した測定データを記憶する記憶手段１４と、記憶した測定データを携帯通信端末２１に送信する通信インターフェース１５と、測定項目を指定する測定情報を入力するキー入力部１６とを備えている。制御手段１３は、測定情報を伴う測定開始命令を通信インターフェース４を介して環境測定装置１へ送信する。それにより、環境測定装置の測定データを、携帯している携帯機器及び携帯通信端末を用いて転送できるので、従来システムのように何らかの記憶媒体に記憶させて管理センター等へ持ち帰ることなく測定対象となる建築物を移動することが可能となり、作業性が向上する。また、複数の測定項目に関する測定データを生成して、送信することができる。また、環境測定装置から送信された測定データを一時的に保存し、保存した測定データを送信することができる。
【００１４】
また、請求項２記載の発明の環境測定システムは、前記携帯通信端末２１は、携帯電話機またはＰＨＳ電話機であることを特徴とする。
【００１５】
請求項２記載の発明によれば、携帯通信端末２１は、携帯電話機またはＰＨＳ電話機である。それにより、携帯している携帯電話機またはＰＨＳ電話機を利用して、環境測定装置の測定データを外部（たとえば、管理センター）へ転送することができる。
【００１６】
【発明の実施の形態】
以下、本発明による環境測定システムの実施の形態について図面を参照して説明する。
【００１７】
図１は、本発明による環境測定システムの概略構成図を示す。図１において、環境測定システムは、環境測定装置１と、環境測定装置１から測定データを受信して記憶する携帯機器１１と、携帯機器１１から測定データを受信して外部に転送する携帯通信端末２１とから構成される。
【００１８】
環境測定装置１は、測定対象となる建築物、たとえばビル内の空気環境を測定すべき場所に配置され、ビル衛生管理法に基づく、ビル内の空気環境測定項目として浮遊粉塵、一酸化炭素、二酸化炭素、温度相対湿度及び気流等を測定する。
【００１９】
携帯機器１１は、たとえば携帯型コンピュータであり、モバイルコンピュータ、ハンドヘルドコンピュータ、ノートパソコン等の持ち運び可能な機器を含む。
【００２０】
携帯通信端末２１は、持ち運び可能な通信端末であり、たとえばデジタル携帯電話機やＰＨＳ電話機を含む。
【００２１】
環境測定装置１と携帯機器１１は、ＩｒＤＡ（ｉｎｆｒａＲｅｄ  Ｄａｔａ  Ａｓｓｏｃｉａｔｉｏｎ  ）等による光通信（無線通信）またはＲＳ２３２Ｃ等の有線通信に対応する通信インターフェースにより接続される。携帯機器１１には、携帯電話端末２１を接続し、環境測定装置１における環境測定終了後、リアルタイムまたは所定時間後に管理センターや事務所等の外部へ測定データを転送することができる。
【００２２】
図２は、図１の環境測定システムのブロック図を示す。
【００２３】
環境測定装置１は、センサ部２、データロガー部３、通信インターフェース４、キー入力部５、電源部６、ＡＣプラグ７及びバッテリ８からなる。
【００２４】
センサ部２は、空気環境の物理データを測定するセンサとして、たとえば、塵埃の濃度を測定するための粉塵計２ａ、一酸化炭素濃度を測定するためのＣＯ計２ｂ、二酸化炭素濃度を測定するためのＣＯ２計２ｃ、温度相対湿度を測定するための温湿度計２ｄ、風速を測定するための風速計２ｅを含む。なお、センサ部２は、これらのセンサのうちの少なくとも１つを備えても良いし、またはこれらのセンサに追加して他の測定項目を測定するための他のセンサを設けても良い。
【００２５】
データロガー部３は、ＣＰＵ３ａ及びメモリ３ｂとを備え、センサ部２、ＩｒＤＡまたはＲＳ２３２Ｃ等の通信インターフェース４、キー入力部５及び電源部６と接続されている。
【００２６】
ＣＰＵ３ａは、メモリ３ｂに記憶されている制御プログラムにしたがって環境測定装置１の全体動作を制御すると共に、センサ部２の各センサ出力を演算処理して測定データを生成する。すなわち、ＣＰＵ３ａは、センサ部２の各センサ（すなわち粉塵計２ａ、ＣＯ計２ｂ、ＣＯ２計２ｃ、温湿度計２ｄ、風速計２ｅ）毎のルックアップテーブルまたは換算式をメモリ３ｂに予め記憶させておき、必要に応じて、メモリ３ｂから呼び出すことによって、各物理量測定データ（すなわち、粉塵濃度データ、一酸化炭素濃度データ、二酸化炭素濃度データ、温度相対湿度データ、または風速（もしくは気流）データ）に換算する演算処理を実行する。
【００２７】
メモリ３ｂは、ＲＯＭ、ＲＡＭ、ＥＥＰＲＯＭ等の半導体記憶デバイスまたはこれらの組合せからなり、制御プログラムと、ＣＰＵ３ａで生成された測定データとを記憶する。
【００２８】
携帯機器１１は、ＩｒＤＡまたはＲＳ２３２Ｃ等の通信インターフェース１２と、制御手段としてのＣＰＵ１３と、記憶手段としてのメモリ１４と、通信インターフェース１５と、キー入力部１６とからなる。
【００２９】
次に、上述の構成の環境測定システムの動作を説明する。
【００３０】
まず、ＡＣプラグ７が交流電源に接続され、環境測定装置１の電源がオンされると、要求に応じた各所で随時、環境測定装置１のキー入力部５または携帯機器（たとえば、モバイルコンピュータ）１１のキー入力部１６からの測定開始命令に基づき、センサ部２の各センサ（すなわち、粉塵計２ａ、ＣＯ計２ｂ、ＣＯ２計２ｃ、温湿度計２ｄ、風速計２ｅ）を用いた各種の空気環境物理データの多点測定を一度に実行することができる。また、各種の空気環境物理データのうち、選択した１つまたはいくつかのみを測定することもできる。
【００３１】
データロガー部３のＣＰＵ３ａは、センサ部２の各センサからのセンサ出力を演算処理して、測定データを生成し、メモリ３ｂに記憶させる。また、ＣＰＵ３ａで生成された測定データは、ＩｒＤＡまたはＲＳ−２３２Ｃ等の通信インターフェース４を介して携帯機器１１に送信される。
【００３２】
携帯機器１１は、ＣＰＵ１３の制御の下に、環境測定装置３から送信された測定データを通信インターフェース１２を介して受信し、メモリ１４に一時的に記憶する。携帯機器１１は、環境測定装置１の測定終了後、メモリ１４に記憶した測定データを、通信インターフェース１５を介して携帯通信端末（たとえば、デジタル携帯電話機）２１へ送信する。携帯通信端末２１は、携帯機器１１から送信された測定データを外部（たとえば、管理センター）へ転送する。
【００３３】
なお、環境測定装置１への携帯機器１１と携帯通信端末２１の接続は、環境測定装置の測定の都度行って、リアルタイムに測定データを外部へ送信しても良いし、あるいは、環境測定装置における全部の測定終了後に、環境測定装置１へ携帯機器１１と携帯通信端末２１を接続して、測定データを一括して外部へ送信しても良いが、後者のやり方が作業の効率性が良い。
【００３４】
次に、上述の動作を図３に示すフローチャートを用いて説明する。
【００３５】
まず、環境測定装置１の電源がオンされ（ステップＳ１）、初期暖機が行われる（ステップＳ２）。次に、測定待機状態になり（ステップＳ３）、待機中に携帯機器１１からの測定開始命令を受信すると、測定処理に入る（ステップＳ４）。次に、測定時間Ｔ１（たとえば、１分間）をカウントするためのＴ１タイマ（ＣＰＵ１３に内蔵されており、ここでは図示しない）がスタートする（ステップＳ５）。
【００３６】
次に、ＣＰＵ３ａは、センサ部２の各センサ、すなわち、粉塵計２ａ、ＣＯ計２ｂ、ＣＯ２計２ｃ、温湿度計２ｄ及び風速計２ｅを起動し、粉塵、ＣＯ、ＣＯ２、温度、湿度、気流を測定する（ステップＳ６）。
【００３７】
次に、ＣＰＵ３ａは、Ｔ１タイマがタイムアップしたか否かを判定する（ステップＳ７）。その答がノーならば、Ｔ１タイマはタイムカウントを継続する。その答がイエスならば、ＣＰＵ３ａは、センサ部２からのセンサ出力を演算処理して測定データを生成し、生成された測定データをメモり３ｂに保管する（ステップＳ８）。
【００３８】
次に、ＣＰＵ３ａは、携帯機器１１から測定データの送信要求があるか否かを判定する（ステップＳ９）。その答がイエスならば、測定データを通信インターフェース４を介して携帯機器１１に送信し、次に作業を終了する。
【００３９】
一方、携帯機器１１の電源がオンされると（ステップＳ２１）、携帯機器１１の状態確認が行われる（ステップＳ２２）。次に、キー入力部１６により測定項目を指定する測定情報が入力され（ステップＳ２３）、ＣＰＵ１３は、その測定情報を伴う測定開始命令を通信インターフェース１２を介して、環境測定装置１へ送信する（ステップＳ２４）。
【００４０】
次に、ＣＰＵ１３は、測定データを要求する命令を通信インターフェース１２を介して、環境測定装置１へ送信し（ステップＳ２５）、次に、携帯機器１１かＲなお測定データの要求にしたがって環境測定装置１から送信される測定データを受信する（ステップＳ２６）。
【００４１】
次に、ＣＰＵ１３は、受信した測定データがメモリ１４に記憶されたか否かを判定する（ステップＳ２７）。その答がノーならば、何らかの異常状態（たとえば、受信不良）が発生したことになるので、ステップＳ２３に戻り、再度ステップＳ２３，Ｓ２４，Ｓ２５，Ｓ２６の作業が繰り返される。その答がイエスならば、測定を終了する（ステップＳ２８）。
【００４２】
次に、ＣＰＵ１３は、携帯通信端末（たとえば、デジタル携帯電話機）２１へのデータ通信を準備する（ステップＳ２９）。次に、メモリ１４から読み出した測定データを、通信インターフェース１５を介して携帯通信端末２１へ送信し（ステップＳ３０）、作業を終了する。
【００４３】
このようにして、環境測定装置１で測定され、生成された測定データは、携帯機器１１で一時的にメモり１４に記憶され、その後リアルタイムまたは数回の測定終了後まとめて、携帯通信端末２１に送信され、さらに、携帯通信端末２１から外部（たとえば、管理センター）へ転送される。
【００４４】
実際には、外部への測定データの転送は、環境測定装置１での測定終了後の携帯機器１１と携帯通信端末２１での作業となり、環境測定装置１のデータロガー部３と切り離して作業ができるため、作業性も容易である。
【００４５】
以上の通り、本発明の実施の形態について説明したが、本発明はこれに限らず、種々の変形、応用が可能である。
【００４６】
たとえば、データロガー部３は、メモリ３ｂに保持された温度相対湿度データ、風速（または気流）データ、一酸化炭素濃度データ、二酸化炭素濃度データまたは粉塵濃度データ等の測定データをさらに演算して、空気環境の評価情報を生成することもできる。
【００４７】
また、携帯通信端末２１を携帯していない場合は、環境測定装置の測定データを一時的に保存した携帯機器１１を持って公衆電話機等の電話端末に接続することにより、測定データを外部へ転送することも可能である。
【００４８】
【発明の効果】
請求項１記載の発明によれば、携帯装置（すなわち、携帯機器と携帯通信端末）を用いて無線通信により測定データを外部（たとえば、管理センターや事務所等）へ送信できるので、測定データの記憶媒体を持ち帰ることなく測定対象となるビルを移動することが可能となり、作業性が向上する。
【００４９】
また、複数の測定項目に関する測定データを生成して、送信することができる。
【００５０】
また、環境測定装置から送信された測定データを一時的に保存し、保存した測定データを送信することができる。
【００５１】
請求項４記載の発明によれば、携帯している携帯電話機またはＰＨＳ電話機を利用して、環境測定装置の測定データを外部（たとえば、管理センター）へ転送することができる。
【図面の簡単な説明】
【図１】本発明による環境測定システムの概略構成図を示す。
【図２】図１の環境測定システムのブロック図を示す。
【図３】図２のブロック図の動作を示すフローチャートである。
【符号の説明】
１    環境測定装置
２    センサ部
２ａ  粉塵計（センサ）
２ｂ  ＣＯ計（センサ）
２ｃ  ＣＯ２計（センサ）
２ｄ  温湿度計（センサ）
２ｅ  風速計（センサ）
３    データロガー部
４    通信インターフェース
１１  携帯機器
１２  通信インターフェース
１３  ＣＰＵ（制御手段）
１４  メモリ（記憶手段）
１５  通信インターフェース
２１  携帯通信端末
【図１】
0003555105.tif 000002
【図２】
0003555105.tif 000003
【図３】
0003555105.tif 000004